(57)【特許請求の範囲】
【請求項１】
電子部品を多数収容したテーピング部材におけるキャリアテープを、機枠の移送ガイドに沿って電子部品実装機へ搬送し、少なくとも該電子部品の供給時に、前記移送ガイド面へ前記キャリアテープを押さえ付けるテーピング部材用キャリアテープ押え装置にあって、
前記キャリアテープの上面に当接して該キャリアテープを前記移送ガイド面へ押圧する押圧体と、該押圧体に設けて前記キャリアテープ厚に応じて厚さ方向の押え位置を調整する位置調整手段と、前記押圧体に接続させて該押圧体のキャリアテープ面に対する接離を行なう作動手段と、前記押圧体に係合することにより押圧体を押圧状態に保持する係止手段とを備えさせ、
前記位置調整手段は、前記押圧体を、キャリアテープ面を押圧する押圧状態と、キャリアテープから離れた離隔状態との間で移動させる構成とされ、
前記作動手段を操作することにより、前記係止手段の係合状態が解除されるとともに、押圧体が離隔状態に移行することを特徴とするテーピング部材用キャリアテープ押え装置。
【請求項２】
電子部品を多数収容したテーピング部材におけるキャリアテープを、機枠の移送ガイドに沿って電子部品実装機へ搬送し、少なくとも該電子部品の供給時に、前記移送ガイド面へ前記キャリアテープを押さえ付けるテーピング部材用キャリアテープ押え装置にあって、
前記キャリアテープの上面に当接して該キャリアテープを前記移送ガイド面へ押圧する押圧体と、該押圧体に設けて前記キャリアテープ厚に応じて厚さ方向の押え位置を調整する位置調整手段と、前記押圧体に接続させて該押圧体のキャリアテープ面に対する接離を行なう作動手段とを備えさせ、
前記位置調整手段は、前記押圧体の一側部に付設した回動体と、この回動体に取り付けて常時は前記押圧体のキャリアテープ押圧方向に付勢させる弾機とからなり、
前記回動体は、前記機枠に設けた支軸へ回動自在に取り付けられる長孔を上下方向に穿設して、この長孔の上孔に前記支軸が係合するとき前記押圧体が前記キャリアテープ面から離隔状態にあり、前記長孔の下孔から上孔の間において前記支軸が係合するとき前記押圧体が前記キャリアテープ面を押圧状態にあることを特徴とするテーピング部材用キャリアテープ押え装置。
【請求項３】
作動手段は、押圧体に作用する手動であることを特徴とする請求項１または２記載のテーピング部材用キャリアテープ押え装置。
【発明の詳細な説明】
【０００１】
【産業上の利用分野】
本発明は、電子部品をプリント基板上に装着する電子部品実装機にあって、この電子部品を収容したテーピング部材におけるキャリアテープを、そのテープ厚さに変化を生じても、確実にテープ押えを行なうことができるテーピング部材用キャリアテープ押え装置に関する。
【０００２】
【従来の技術】
現今、電子部品をプリント基板上に装着する電子部品実装機にあって、この電子部品実装機への電子部品の供給は、この電子部品を所定ピッチで多数個収容して、テープリールに巻き付けられたテーピング部材が利用されることが一般的である。
【０００３】
そして、このテーピング部材は電子部品の供給に際して、その上面に被覆されたカバーテープが剥された後、テープ押えによって電子部品の収容されたキャリアテープの浮上がりが防止されている。
【０００４】
従来、このテープ押え機構は、図７に示すように、テープ押えレバー６０の一端部を、機枠の定められた位置に固着された軸６１へ回動自在に取り付けて、このテープ押えレバー６０の下面によってキャリアテープ６２の上面を面接触により押さえ付けるものであった。
【０００５】
したがって、図７（ａ）に示すように、キャリアテープ６２があらかじめ設定されたテープ厚の場合には、テープ押えレバー６０の下面とキャリアテープ６２の上面とが平行状態となって、テープ押えレバー６０の下面の略全面ｘが該キャリアテープ６２面に当接して安定したテープ押え機能を発揮する。
【０００６】
しかし、同図（ｂ）に示すように、あらかじめ設定されたテープ厚より薄いキャリアテープ６２の場合には、その寸法不足によって、テープ押えレバー６０の下面の当接部は、その前側部ｙにおいて線（点）接触となってしまうため、後側部に隙間６３を生じてキャリアテープ６２の浮きを起こす。
【０００７】
また、同図（ｃ）に示すように、あらかじめ設定されたテープ厚より厚いキャリアテープ６２の場合には、その寸法過剰によって、テープ押えレバー６０の下面の当接部は、その後側部ｚにおいて線（点）接触となってしまうため、前側部に隙間６４を生じて、同様に、キャリアテープ６２の浮きを起こす。
【０００８】
そのため、当業界においては、簡単な構造で確実にキャリアテープの押えを行なって、そのテープ浮きを防止できる装置の出現を強く要望されていた。
【０００９】
【発明が解決しようとする課題】
本発明は前記した要望に鑑みなされたもので、キャリアテープの上面に当接して該キャリアテープを前記移送ガイド面へ押圧する押圧体を、キャリアテープ厚に応じて厚さ方向の押え位置を調整する位置調整手段により支承すると共に、前記押圧体に、該押圧体のキャリアテープ面に対する接離を行なう作動手段を接続させることにより、電子部品を収容したテーピング部材におけるキャリアテープを、簡単な構造で、そのテープ厚さに変化を生じても、確実にテープ押えを行なうことができるテーピング部材用キャリアテープ押え装置を提供することを目的としている。
【００１０】
【課題を解決するための手段】
前記した目的を達成するための本発明の手段は、
電子部品を多数収容したテーピング部材におけるキャリアテープを、機枠の移送ガイドに沿って電子部品実装機へ搬送し、少なくとも該電子部品の供給時に、前記移送ガイド面へ前記キャリアテープを押さえ付けるテーピング部材用キャリアテープ押え装置にあって、
前記キャリアテープの上面に当接して該キャリアテープを前記移送ガイド面へ押圧する押圧体と、該押圧体に設けて前記キャリアテープ厚に応じて厚さ方向の押え位置を調整する位置調整手段と、前記押圧体に接続させて該押圧体のキャリアテープ面に対する接離を行なう作動手段と、前記押圧体に係合することにより押圧体を押圧状態に保持する係止手段とを備えさせ、前記位置調整手段は、前記押圧体を、キャリアテープ面を押圧する押圧状態と、キャリアテープから離れた離隔状態との間で移動させる構成とされ、前記作動手段を操作することにより、前記係止手段の係合状態が解除されるとともに、押圧体が離隔状態に移行するテーピング部材用キャリアテープ押え装置の構成にある。
【００１１】
そして、
電子部品を多数収容したテーピング部材におけるキャリアテープを、機枠の移送ガイドに沿って電子部品実装機へ搬送し、少なくとも該電子部品の供給時に、前記移送ガイド面へ前記キャリアテープを押さえ付けるテーピング部材用キャリアテープ押え装置にあって、
前記キャリアテープの上面に当接して該キャリアテープを前記移送ガイド面へ押圧する押圧体と、該押圧体に設けて前記キャリアテープ厚に応じて厚さ方向の押え位置を調整する位置調整手段と、前記押圧体に接続させて該押圧体のキャリアテープ面に対する接離を行なう作動手段とを備えさせ、
前記位置調整手段は、前記押圧体の一側部に付設した回動体と、この回動体に取り付けて常時は前記押圧体のキャリアテープ押圧方向に付勢させる弾機とからなり、
前記回動体は、前記機枠に設けた支軸へ回動自在に取り付けられる長孔を上下方向に穿設して、この長孔の上孔に前記支軸が係合するとき前記押圧体が前記キャリアテープ面から離隔状態にあり、前記長孔の下孔から上孔の間において前記支軸が係合するとき前記押圧体が前記キャリアテープ面を押圧状態にあるテーピング部材用キャリアテープ押え装置の構成にある。
【００１２】
また、作動手段は、押圧体に作用する手動である。
【００１３】
【実施例】
次に、本発明に関するテーピング部材用キャリアテープ押え装置の実施の一例を図面に基づいて説明する。
【００１４】
図１〜図３および図５においてＡは、テーピング部材用キャリアテープ押え装置で、このテーピング部材ｔは、電子部品ｂをそのキャリアテープｃへ多数収容してカバーテープｄにより被覆した長尺状に形成されているもので、電子部品供給機Ｇにおいて、テープリールｅへ多数巻きに巻設されて、順次、電子部品実装機Ｆへ送り手段ｋにより繰出自在となるように支承させるものであって、電子部品ｂの供給に際して、キャリアテープｃが本発明実施例装置Ａによって押さえ付けられる。
【００１５】
そして、その構成は、押圧体１と、位置調整手段２と、作動手段３とによりなる。
【００１６】
なお、図１に示すような電子部品供給機Ｇは、電子部品実装機Ｆの一側または両側に対して着脱自在にかつ並列に多数配設されるものであって、テープリールｅの支持手段４に支持されたテーピング部材ｔは、機枠５の上部に設けられた移送ガイド６に沿って電子部品実装機Ｆへ搬送されるもので、該電子部品実装機Ｆの吸着ノズル７による電子部品ｂの吸着前に、カバーテープｄがキャリアテープｃ面から剥されて順次巻取リール８に巻き取られる。
【００１７】
前記した押圧体１は、キャリアテープｃの上面に当接して該キャリアテープｃを移送ガイド６上面へ押圧するもので、略垂直に配設された機枠５に当接する回動体９の上端部において、移送ガイド６上面に臨ませてある。
【００１８】
そして、この押圧体１は、図２に示すように、移送ガイド６における終端部において水平部６ａと、この水平部６ａに延設させた下向き円弧部６ｂに見合う形状に形成してある。
【００１９】
また、その前側部には、剥離されたカバーテープｄを引き出す引出口１０と、後側部には、電子部品実装機Ｆの吸着ノズル７が対応する電子部品取出口１１を穿設してある。
【００２０】
前記した位置調整手段２は、押圧体１に設けてキャリアテープｃ厚の変化に応じて厚さ方向の押え位置を調整するもので、押圧体１の一側部に付設した回動体９と、この回動体９に取り付けて常時は押圧体１のキャリアテープｃの押圧方向（図２（ａ）において示す矢印ｐの方向）に付勢させるスプリング等の弾機１２とからなる。
【００２１】
そして、前記した回動体９は、機枠５に設けた支軸１３へ回動自在に取り付けられる長孔１４を上下方向に穿設して、図２（ｂ）に示すように、この長孔１４の上孔１４ｂに支軸１３が係合するとき、押圧体１がキャリアテープｃ面から離隔状態にあり、また、図２（ａ）および図５に示すように、長孔１４の下孔１４ａから上孔１４ｂの間において支軸１３が係合するとき、押圧体１がキャリアテープｃ面を押圧状態とする。
【００２２】
なお、位置調整手段２における支軸１３と長孔１４との構成関係は、図示してないが、機枠５に上下方向への長孔１４を設け、この長孔１４に係合する支軸１３を回動体９に固着させた構成であっても同様の作用効果を奏するもので、この変更は単に相対関係の変形に過ぎないものである。
【００２３】
前記した作動手段３は、押圧体１に連設させた回動体９へ接続させて、該押圧体１下面のキャリアテープｃ面に対する接離を行なうもので、該回動体９の下側縁に側方へ突出する張出片１５を付設してある。
【００２４】
したがって、この張出片１５を上方へ引き上げると、支軸１３を中心として回動体９が回動し、張出片１５の上方への引き上げを解除させると、回動体９に連係させた弾機１２により引き下げられて、押圧体１の下面略全面がキャリアテープｃ面へ密着状態に当接する。
【００２５】
なお、この回動体９には係止手段１６が付設されていて、機枠５へ回動軸１７により回動自在に取り付けたレバー１８の一端部１８ａを、回動体９の係止孔１９に係合し、レバー１８の他端部にスプリング等の弾機２０を連係してある。
【００２６】
そして、押圧体１がキャリアテープｃ面に当接しているときは、図２（ａ）に示すように、レバー１８の一端部１８ａが係止孔１９の上縁１９ａに係合し、押圧体１がキャリアテープｃの上面から離隔しているときは、図２（ｂ）に示すように、レバー１８の一端部１８ａが係止孔１９の下縁部１９ｂに係合してロックされるため、回動体９の回動が規制されて、押圧体１の離隔状態を維持する。
【００２７】
次に、図２（ｂ）においてレバー１８の他端部１８ｂを矢印ｐｂ方向へ押すことによって、押圧体１の離隔状態を解除させると、回動体９に連係させた弾機１２により引き下げられて、図２（ａ）の状態になる。
【００２８】
なお、レバー１８の一片につまみ部２１を付設しておけば、回動体９の作動手段３における張出片１５との指による挟み持ちによって、押圧体１のキャリアテープｃに対する離隔操作や離隔状態の保持動作が円滑に行なえる。
【００２９】
したがって、前記のように構成される本発明実施例のテーピング部材用キャリアテープ押え装置Ａは、以下に述べる作用を奏する。
【００３０】
まず、電子部品実装機Ｆへの電子部品ｂの供給に際して、図１に示すように、電子部品供給機Ｇへ、テープリールｅに所定長さ巻かれたテーピング部材ｔを設置し、カバーテープ巻取装置Ｈにカバーテープｄの巻始端を止め付ける。
【００３１】
また、カバーテープｄが剥されたキャリアテープｃは、電子部品供給機Ｇにおける機枠５に設けた移送ガイド６に沿って電子部品実装機Ｆ方向へ繰り出す。
【００３２】
このとき、移送ガイド６上にあってキャリアテープｃの繰り出しに際しては、作動手段３を操作して回動体９を支軸１３を中心として回動することで、押圧体が移送ガイド６面より離隔するから、図２（ｂ）に示すように、供給隙間が形成される。
【００３３】
この状態で、キャリアテープｃを繰り出した後、作動手段３を解除すれば、弾機１２の引っ張り力により押圧体１が下方へ引き戻される。
【００３４】
例えば、図２（ａ）に示すように、キャリアテープｃ厚がｃ１と比較的薄い場合は、弾機１２により引っ張られた押圧体１は、その下面がキャリアテープｃ上面へ当接するものであるが、回動体９の回動する位置（支軸１３位置）が長孔１４により上下方向に対して移動自由に枢着されているため、押圧体１全体が回動体９と共に上下移動する。
【００３５】
したがって、弾機１２の引っ張り力が押圧体１の下面全体へ働いて、該押圧体１のキャリアテープｃ面への押圧力が均一で万遍なく発揮される。
【００３６】
また、図５（ａ）に示すように、キャリアテープｃ厚がｃ２と少し厚い場合、あるいは、図５（ｂ）に示すように、キャリアテープｃ厚がｃ３と比較的厚い場合であっても、前記同様に、押圧体１は、その押圧体１に付設した回動体９が、該長孔１４の範囲において上下運動し、異なるキャリアテープｃの厚さ分が長孔１４内において吸収されて、すなわち、テープ厚みに自動的に追従して移動し、かつ、クランプするから、押圧体１の下面に対しては常に同一の当接動作を行なう。
【００３７】
そのため、電子部品実装機Ｆの吸着ノズル７が対応する電子部品取出口１１においては、電子部品ｂが収容されたキャリアテープｃは、移送ガイド６から浮き上がりを生じたり、蛇行・横ズレ等を起こすことなく電子部品ｂが移送されるので、吸着ノズル７による電子部品ｂの取り出しが確実に行なえる。
【００３８】
図６において示すキャリアテープ押え装置Ａは、他の実施例を示すもので、押圧体１および回動体９の基本的構成は前記した実施例と同様であるが、押圧体１の一側部に補強片２２を延設することで、その押圧面の剛性や強度を高めることができて、押圧体１のキャリアテープｃへの押え力が向上し、低コストでのテープ押えの目的が達成される。
【００３９】
この例にあっては、押圧体１は断面コの字状に形成されていて、該押圧体１に延設される回動体９は、押圧体１の外端部１ａへ作動手段３である指を掛けて、引き上げることで、機枠５に設けた支軸１３を中心として回動自在となる。
【００４０】
また、この回動体９には、支軸１３へ回動自在に取り付けられる長孔１４を上下方向に穿設してあって、作動手段３による回動操作時に、長孔１４の上孔１４ｂに支軸１３が係合するとき、押圧体１がキャリアテープｃ面から離隔状態にあり、同時に、レバー１８の一端部１８ａが係止孔１９の下縁部１９ｂに係合してロックされるため、回動体９の回動が規制されて、押圧体１の離隔状態を維持することができる。
【００４１】
次に、レバー１８の他端部１８ｂを矢印ｐｂ方向に押すことによって、レバー１８の一端部１８ａと係止孔１９の下縁部１９ｂとの係合を解除させると、回動体９に連係させた弾機１２により引き下げられて、押圧体１の離隔状態が解除され、かつ、このとき、長孔１４の下孔１４ａから上孔１４ｂの間において、支軸１３が係合するもので、押圧体１がキャリアテープｃ面を、図６に示すような押圧状態とする。
【００４２】
なお、図６において２５はガイド部材で、移送ガイド６における円弧部６ｂに設けて、キャリアテープｃの上部に位置してその繰り出し案内を行なうものであって、板ばね等の弾性材により形成することでキャリアテープｃ厚に容易に追従することができる。
【００４３】
【発明の効果】
前述したように本発明のテーピング部材用キャリアテープ押え装置は、キャリアテープを押える押圧体が、テープ厚みに自動的に追従した一定の押圧力を発揮するため、テープ浮き上がりが確実に防止され、キャリアテープ送り不良や、電子部品の踊りに起因する吸着不良が解消された安定した電子部品供給が可能となる。
【００４４】
種々の厚さのキャリアテープの繰り出しに際して、同一装置によって汎用処理することができる。
等の格別な効果を奏するものである。
【図面の簡単な説明】
【図１】本発明に関するテーピング部材用キャリアテープ押え装置を採用した電子部品供給機を示す正面図である。
【図２】図１における装置の要部の各作動状態を示す説明図である。
【図３】図１における装置の要部の平面図である。
【図４】図１における装置の押圧体および回動体を示す斜視図である。
【図５】図１における装置の各作動状態を示す説明図である。
【図６】図１における他の装置を示す要部の斜視図である。
【図７】従来のテーピング部材用キャリアテープ押え装置の作動状態を示す説明図である。
【符号の説明】
ｂ      電子部品
ｔ      テーピング部材
ｄ      カバーテープ
ｅ      テープリール
Ａ      テーピング部材用キャリアテープ押え装置
Ｆ      電子部品実装機
Ｇ      電子部品供給機
１      押圧体
２      位置調整手段
３      作動手段
５      機枠
６      移送ガイド
９      回動体
１２    弾機
１３    支軸
１４    長孔
１４ａ  下孔
１４ｂ  上孔
【図１】
0003828263.tif 000002
【図２】
0003828263.tif 000003
【図３】
0003828263.tif 000004
【図４】
0003828263.tif 000005
【図５】
0003828263.tif 000006
【図６】
0003828263.tif 000007
【図７】
0003828263.tif 000008